【手続補正書】
【提出日】平成27年11月26日(2015.11.26)
【手続補正１】
【補正対象書類名】明細書
【補正対象項目名】００１０
【補正方法】変更
【補正の内容】
【００１０】
上記目的を達成するために、本発明の撮像装置は、撮影を行って画像データを出力する撮像手段と、前記画像データに、ユーザからの指示に基づく第１の処理情報に基づいて、予め決められた画像処理を行う処理手段と、前記第１の処理情報と、前記画像処理を行うことにより前記画像データを予め決められた基準状態にするための第２の処理情報との差分情報を取得する取得手段と、前記取得手段により得られた差分情報を、前記画像データに関連付けて記録する記録手段とを有する。
【手続補正２】
【補正対象書類名】明細書
【補正対象項目名】００５０
【補正方法】変更
【補正の内容】
【００５０】
図１０に示すように、ベイヤーＲＧＢ形式（ＲＡＷ形式）の画像データは、システム制御部３５０の制御によって、ＲＧＢ信号生成部１００１に入力される。ＲＧＢ信号生成部１００１はベイヤーＲＧＢ形式（ＲＡＷ形式）の画像データに対してディベイヤー処理を行い、ＲＧＢ信号を生成する。そして、生成したＲＧＢ信号をＩＤＴ（Ｉｎｐｕｔ  Ｄｅｖｉｃｅ  Ｔｒａｎｓｆｏｒｍ）処理部１００２に出力する。ＩＤＴ処理部１００２は入力されたＲＧＢ信号をＡＣＥＳ規格のＡＣＥＳ_ＲＧＢ色空間信号に変換する処理と、ＡＣＥＳ規格が定める色目標値に補正する処理の２つを行う。ここで、ＡＣＥＳ規格のＡＣＥＳ_ＲＧＢ色空間信号に変換する処理とは、上述した図３の色空間変換部１０５６のマトリクス演算（Ｍ１）と等価なものである。ただし、マトリクス演算Ｍ１は整数演算だが、ここでは、ＡＣＥＳ規格に基づいた浮動小数点の演算を行う。また、ＡＣＥＳ規格が定める色目標値に補正する処理とは、基準となるパラメータであるマトリクスＭ３と等価なものである。即ち、ＩＤＴ処理部１００２は、マトリクスＭ１とＭ３の処理を行い、入力ＲＧＢ値をＡＣＥＳ規格のＲＧＢ値に変換する。このようにして生成したＡＣＥＳ＿ＲＧＢデータをＬＭＴ処理部１００３へ出力する。
【手続補正３】
【補正対象書類名】明細書
【補正対象項目名】００６４
【補正方法】変更
【補正の内容】
【００６４】
Ｓ１１０１では、画像データをＩ／Ｆ１１１を介して、記録媒体１１２に記録する。その際、図１２に示すような画像ファイル１２００を生成し、各フレームの画像データ１２１０を記録する際に、そのフレームヘッダ１２１１に生成したＬＭＴファイルのＩＤをメタデータとして付加する。
【手続補正４】
【補正対象書類名】特許請求の範囲
【補正対象項目名】全文
【補正方法】変更
【補正の内容】
【特許請求の範囲】
【請求項１】
撮影を行って画像データを出力する撮像手段と、
前記画像データに、ユーザからの指示に基づく第１の処理情報に基づいて、予め決められた画像処理を行う処理手段と、
前記第１の処理情報と、前記画像処理を行うことにより前記画像データを予め決められた基準状態にするための第２の処理情報との差分情報を取得する取得手段と、
前記取得手段により得られた差分情報を、前記画像データに関連付けて記録する記録手段と
を有することを特徴とする撮像装置。
【請求項２】
撮影を行って画像データを出力する撮像手段と、
前記画像データに、ユーザからの指示に基づく第１の処理情報に基づいて、予め決められた画像処理を行う処理手段と、
前記第１の処理情報と、前記画像処理を行うことにより前記画像データを予め決められた基準状態にするための第２の処理情報との差分情報を取得し、該得られた差分情報に基づいて、前記画像処理の内容を表す第３の処理情報を生成する生成手段と、
前記生成手段により生成された前記第３の処理情報を、前記画像データに関連付けて記録する記録手段と
を有することを特徴とする撮像装置。
【請求項３】
前記記録手段は、前記撮像手段による撮影中に、前記記録を行うことを特徴とする請求項１または２に記載の撮像装置。
【請求項４】
前記処理手段により前記第１の処理情報に基づいて前記画像処理された画像データを表示装置に出力する出力手段を更に有することを特徴とする請求項１乃至３のいずれか１項に記載の撮像装置。
【請求項５】
前記処理手段において複数の画像データに同一の前記第１の処理情報を用いて前記画像処理を行う場合に、前記記録手段は、前記複数の画像データについて１つの差分情報を記録することを特徴とする請求項１に記載の撮像装置。
【請求項６】
前記記録手段は、前記処理手段により前記画像データに前記第２の処理情報に基づく前記画像処理を行った画像データを、前記差分情報と関連づけて記録することを特徴とする請求項１に記載の撮像装置。
【請求項７】
前記取得手段により前記差分情報が得られなかった場合に、前記記録手段は差分情報を記録しないことを特徴とする請求項１に記載の撮像装置。
【請求項８】
前記記録手段は、各画像データに１つの前記第３の処理情報を記録することを特徴とする請求項２に記載の撮像装置。
【請求項９】
前記処理手段において複数の画像データに同一の前記第１の処理情報を用いて前記画像処理を行う場合に、前記記録手段は、前記複数の画像データについて１つの前記第３の処理情報を記録することを特徴とする請求項２に記載の撮像装置。
【請求項１０】
前記記録手段は前記第３の処理情報にリンクするためのリンク情報と前記画像データとを記録することを特徴とする請求項２、８または９に記載の撮像装置。
【請求項１１】
前記第３の処理情報は、更に画像処理の順序を示すことを特徴とする請求項２、８、９または１０に記載の撮像装置。
【請求項１２】
前記生成手段により前記差分情報が得られなかった場合に、前記記録手段は前記第３の処理情報を記録しないことを特徴とする請求項２及び８乃至１１のいずれか１項に記載の撮像装置。
【請求項１３】
撮影を行って画像データを出力する撮像手段を有する撮像装置の制御方法であって、
処理手段が、前記画像データに、ユーザからの指示に基づく第１の処理情報に基づいて、予め決められた画像処理を行う処理工程と、
取得手段が、前記第１の処理情報と、前記画像処理を行うことにより前記画像データを予め決められた基準状態にするための第２の処理情報との差分情報を取得する取得工程と、
記録手段が、前記取得工程で得られた差分情報を、前記画像データに関連付けて記録する記録工程と
を有することを特徴とする撮像装置の制御方法。
【請求項１４】
撮影を行って画像データを出力する撮像手段を有する撮像装置の制御方法であって、
処理手段が、前記画像データに、ユーザからの指示に基づく第１の処理情報に基づいて、予め決められた画像処理を行う処理工程と、
生成手段が、前記第１の処理情報と、前記画像処理を行うことにより前記画像データを予め決められた基準状態にするための第２の処理情報との差分情報を取得し、該得られた差分情報に基づいて、前記画像処理の内容を表す第３の処理情報を生成する生成工程と、
記録手段が、前記生成工程で生成された前記第３の処理情報を、前記画像データに関連付けて記録する記録手段と
を有することを特徴とする撮像装置の制御方法。
【請求項１５】
請求項１に記載の撮像装置により記録された前記画像データ及び前記差分情報を取得する取得手段と、
前記取得手段により取得した前記画像データに、前記基準状態とするための前記画像処理を行う第１の処理手段と、
前記第１の処理手段により前記画像処理された前記画像データに、前記差分情報に基づいて画像処理を行う第２の処理手段と
を有することを特徴とする画像処理装置。
【請求項１６】
請求項２に記載の撮像装置により記録された前記画像データ及び前記第３の処理情報を取得する取得手段と、
前記取得手段により取得した前記画像データに、前記基準状態とするための前記画像処理を行う第１の処理手段と、
前記第１の処理手段により前記処理された前記画像データに、前記第３の処理情報に基づいて画像処理を行う第２の処理手段と
を有することを特徴とする画像処理装置。
【請求項１７】
画像処理装置の制御方法であって、
取得手段が、請求項１に記載の撮像装置により記録された前記画像データ及び前記差分情報を取得する取得工程と、
第１の処理手段が、前記取得工程で取得した前記画像データに、前記基準状態とするための前記画像処理を行う第１の処理工程と、
第２の処理手段が、前記第１の処理工程で前記画像処理された画像データに、前記差分情報に基づいて画像処理を行う第２の処理工程と
を有することを特徴とする画像処理装置の制御方法。
【請求項１８】
画像処理装置の制御方法であって、
取得手段が、請求項２に記載の撮像装置により記録された前記画像データ及び前記第３の処理情報を取得する取得工程と、
第１の処理手段が、前記取得工程で取得した前記画像データに、前記基準状態とするための前記画像処理を行う第１の処理工程と、
第２の処理手段が、前記第１の処理工程で前記画像処理された画像データに、前記第３の処理情報に基づいて画像処理を行う第２の処理工程と
を有することを特徴とする画像処理装置の制御方法。
【請求項１９】
コンピュータを、請求項１５または１６に記載の画像処理装置の各手段として機能させるためのプログラム。
【請求項２０】
請求項１９に記載のプログラムを格納したコンピュータが読み取り可能な記憶媒体。
【手続補正５】
【補正対象書類名】図面
【補正対象項目名】図９
【補正方法】変更
【補正の内容】
【図９】
2014107837.tif 000001